(57)【要約】【課題】  施療前に測定部で測定された被施療者の身体情報に基づいて、被施療者に適切な施療コースを推奨するマッサージ機を備えた施療システムを提供すること。【解決手段】  施療前に被施療者の身体情報を測定する測定部と、被施療者を施療する施療部と施療部を制御する制御部と施療部による施療内容が異なる複数の施療コースを記憶する記憶部とを有するマッサージ機と、被施療者に施療コースを推奨する報知部と、を備え、測定部と制御部とは有線又は無線で接続されており、制御部は、測定部から被施療者の身体情報を有線又は無線で受信し、身体情報に基づいて記憶部に記憶された複数の施療コースから適切な施療コースを選択し、選択した施療コースを被施療者に報知部で推奨するように構成されている。【選択図】  図１
2017217085.tif 000002
【特許請求の範囲】
【請求項１】
施療前に被施療者の身体情報を測定する測定部と、
前記被施療者を施療する施療部と前記施療部を制御する制御部と前記施療部による施療内容が異なる複数の施療コースを記憶する記憶部とを有するマッサージ機と、
前記被施療者に前記施療コースを推奨する施療コース報知部と、
を備え、
前記測定部と前記制御部とは有線又は無線で接続されており、
前記制御部は、前記測定部から前記被施療者の前記身体情報を有線又は無線で受信し、該身体情報に基づいて前記記憶部に記憶された複数の施療コースから適切な施療コースを選択し、該選択した施療コースを前記被施療者に前記施療コース報知部で推奨するように構成されている、
ことを特徴とするマッサージ機を備えた施療システム。
【請求項２】
前記制御部は、前記被施療者の前記身体情報に基づいて前記施療コースにおけるマッサージ力、および一部の施療動作、の少なくともいずれか一方を変更可能に構成されている、
請求項１に記載のマッサージ機を備えた施療システム。
【請求項３】
前記測定部は、少なくとも血圧計を有し、
前記複数の施療コースには、少なくとも血行を改善させる血行改善施療コースが含まれ、
前記制御部は、前記適切な施療コースとして前記血行改善施療コースを選択するか否かを、前記血圧計からの前記被施療者の前記身体情報に基づいて判断するように構成されている、
請求項１又は２に記載のマッサージ機を備えた施療システム。
【請求項４】
血圧情報報知部をさらに有し、
前記制御部は、前記血圧計からの前記被施療者の前記身体情報を経時的に前記記憶部に記録し、前記記憶部に記録された経時的な前記身体情報を前記血圧情報報知部で報知するように構成されている、
請求項３に記載のマッサージ機を備えた施療システム。
【請求項５】
前記測定部は、少なくとも体重計を有し、
前記複数の施療コースには、少なくとも体重を管理する体重管理施療コースが含まれ、
前記制御部は、前記適切な施療コースとして前記体重管理施療コースを選択するか否かを、前記体重計からの前記被施療者の前記身体情報に基づいて判断するように構成されている、
請求項１又は２に記載のマッサージ機を備えた施療システム。
【請求項６】
体重情報報知部をさらに有し、
前記制御部は、前記体重計からの前記被施療者の前記身体情報を経時的に前記記憶部に記録し、前記記憶部に記録された経時的な前記身体情報を前記体重情報報知部で報知するように構成されている、
請求項５に記載のマッサージ機を備えた施療システム。
【請求項７】
前記測定部と前記制御部との間に、前記被施療者の前記身体情報を記録する情報端末をさらに備え、
前記情報端末は、前記制御部と有線又は無線で通信することが可能に構成されている、
請求項１〜６のいずれか１項に記載のマッサージ機を備えた施療システム。
【請求項８】
前記マッサージ機は、少なくとも前記被施療者が着座する座部と、該座部に着座した前記被施療者の上半身を後方から支持する背凭れ部と、を有し、
前記制御部は、前記施療コースに応じて前記背凭れ部の起倒角度を設定するように構成されている、
請求項１〜７のいずれか１項に記載のマッサージ機を備えた施療システム。
【請求項９】
前記マッサージ機は計時部を有し、
前記制御部は、前記計時部からの時刻情報に基づいて、所定の時刻にアラーム報知部でアラームを報知するように構成されている、
請求項１〜８のいずれか１項に記載のマッサージ機を備えた施療システム。
【請求項１０】
前記アラーム報知部は、光、音、振動、画面表示、のうちの少なくとも一つでアラームを報知するように構成されている、
請求項９に記載のマッサージ機を備えた施療システム。
【請求項１１】
前記制御部は、前記被施療者の前記身体情報が使用推奨範囲を越えている場合にはマッサージ機の不使用を推奨するように構成されている、
請求項１〜１０のいずれか１項に記載のマッサージ機を備えた施療システム。
【請求項１２】
前記制御部は、前記被施療者の前記身体情報に基づいて作成された健康情報に関するアドバイスを健康情報報知部で報知するように構成されている、
請求項１〜１１のいずれか１項に記載のマッサージ機を備えた施療システム。
【請求項１３】
前記マッサージ機は、通信ネットワークを介して病院と接続されており、
前記制御部は、前記被施療者に対して健康情報に関する質問を行い、該質問結果を前記通信ネットワークに送信し、
前記病院は、前記質問結果を前記通信ネットワークから受信し、該質問結果に対する評価・アドバイスを前記通信ネットワークに送信し、
前記制御部は、前記通信ネットワークから前記評価・アドバイスを受信し、前記健康情報報知部で報知するように構成されている、
請求項１２に記載のマッサージ機を備えた施療システム。
【請求項１４】
前記マッサージ機は、前記被施療者を写すカメラと、前記被施療者の音声を電気信号に変換するマイクロフォンと、を有し、
前記健康情報報知部は、前記通信ネットワークを介して前記病院の医師を写す表示部を兼ねており、
前記健康情報報知部を介して前記被施療者と前記医師とが面談できるように構成されている、
請求項１３に記載のマッサージ機を備えた施療システム。
【請求項１５】
前記マッサージ機は、通信ネットワークを介して登録送信先と接続されており、
前記制御部は、前記被施療者の前記身体情報を前記通信ネットワークを介して前記登録送信先に送信するように構成されている、
請求項１〜１０のいずれか１項に記載のマッサージ機を備えた施療システム。
【発明の詳細な説明】
【技術分野】
【０００１】
本発明は、マッサージ機を備えた施療システムに関する。
【背景技術】
【０００２】
従来、被施療者は、マッサージ機を用いて身体の各部を施療している。また、被施療者は、自己の健康管理のために、血圧計を用いた血圧管理や、体重計を用いた体重管理など、各種の測定機器を用いた健康管理を行っている。このように、通常、マッサージ機を用いた身体の施療と、測定機器を用いた健康管理とは、別々に行われている。
【０００３】
一方、測定機器の情報に基づいてマッサージ機の機能を制限する健康増進システムがある（例えば、特許文献１）。この健康増進システムでは、測定機器の情報から被施療者の健康状態が基準よりも良いと判断すると動作を制限せず、基準よりも悪いと判断すると動作を制限している。
【０００４】
また、他の先行技術として、被施療者がマッサージ装置の刺激問診手段からの質問事項に回答を入力することで、その回答に応じて経穴に対してより強い刺激又はより弱い刺激を与えるようにしたマッサージ装置もある（例えば、特許文献２参照）。
【０００５】
さらに、他の先行技術として、マッサージに反応して変化する被施療者の生体生理情報に基づいて、マッサージ機の次の動作の推奨情報を報知部に出力するものがある（例えば、特許文献３参照）。
【先行技術文献】
【特許文献】
【０００６】
【特許文献１】特開２００９−１１２３３８号公報
【特許文献２】特開２００２−２３８９６５号公報
【特許文献３】特開２０１６−３６６４８号公報
【発明の概要】
【発明が解決しようとする課題】
【０００７】
しかし、上記特許文献１では、被施療者の健康状態に応じて制御部によってマッサージ機の機能が制限されるものであり、被施療者によって施療内容の選択ができない。このため、この先行技術では、被施療者が自身に適切な施療を選択することができない。
【０００８】
また、上記特許文献２では、使用者に対する問診結果の回答に基づいてマッサージ装置が刺激強さを調節する。このため、この先行技術でも、被施療者が自身に適切な施療を選択することができない。
【０００９】
さらに、上記特許文献３では、マッサージによって変化する生体生理情報に基づいて次の動作を推奨する。しかし、この先行技術では、被施療者の日々変化する身体情報に適切な施療コースを、マッサージ機を使用する前に知ることはできない。
【００１０】
そこで、本発明は、施療前に測定部で測定された被施療者の身体情報に基づいて、被施療者に適切な施療コースを推奨するマッサージ機を備えた施療システムを提供することを目的とする。
【課題を解決するための手段】
【００１１】
上記目的を達成するために、本発明に係る施療システムは、施療前に被施療者の身体情報を測定する測定部と、前記被施療者を施療する施療部と前記施療部を制御する制御部と前記施療部による施療内容が異なる複数の施療コースを記憶する記憶部とを有するマッサージ機と、前記被施療者に前記施療コースを推奨する施療コース報知部と、を備え、前記測定部と前記制御部とは有線又は無線で接続されており、前記制御部は、前記測定部から前記被施療者の前記身体情報を有線又は無線で受信し、該身体情報に基づいて前記記憶部に記憶された複数の施療コースから適切な施療コースを選択し、該選択した施療コースを前記被施療者に前記施療コース報知部で推奨するように構成されている。
【００１２】
この構成により、施療前に被施療者が測定部で身体情報を測定すると、その身体情報に基づいて、マッサージ機の制御部が被施療者の身体情報に適切な施療コースを被施療者に施療コース報知部で推奨する。よって、被施療者は、施療前に自身の身体情報に適切な施療コースを容易に認識でき、その施療コースを実行することができる。
【００１３】
また、前記制御部は、前記被施療者の前記身体情報に基づいて前記施療コースにおけるマッサージ力、および一部の施療動作、の少なくともいずれか一方を変更可能に構成されていてもよい。
【００１４】
このように構成すれば、被施療者の身体情報に基づいてマッサージ力、施療動作を変更できる。例えば、身体情報から被施療者の体調が悪い場合は、マッサージ力を弱くした状態からスタートさせることや、一部の施療動作を切った状態でスタートさせることができる。
【００１５】
また、前記測定部は、少なくとも血圧計を有し、前記複数の施療コースには、少なくとも血行を改善させる血行改善施療コースが含まれ、前記制御部は、前記適切な施療コースとして前記血行改善施療コースを選択するか否かを、前記血圧計からの前記被施療者の前記身体情報に基づいて判断するように構成されていてもよい。「血行改善施療コース」は、血行に関する施療を含む施療コースであればよく、例えば、血管の弾力性を高める経穴を刺激する施療などを含めることができる。この明細書及び特許請求の範囲の書類中における「経穴」は、いわゆる「つぼ」である。
【００１６】
このように構成すれば、血圧計で測定した被施療者の血圧値に基づいて、被施療者に適切な施療コースとして血行改善施療コースを推奨するようにできる。血行改善施療コースには、血圧値が高い場合の施療コース、血圧値が低い場合の施療コースを含めることができる。
【００１７】
また、血圧情報報知部をさらに有し、前記制御部は、前記血圧計からの前記被施療者の前記身体情報を経時的に前記記憶部に記録し、前記記憶部に記録された経時的な前記身体情報を前記血圧情報報知部で報知するように構成されていてもよい。
【００１８】
このように構成すれば、被施療者が血圧計で測定した身体情報の変化が血圧情報報知部で報知されるので、被施療者は自身の身体情報変化を経時的に知ることができる。よって、被施療者は、自身の身体情報の変化を把握しながら施療コースを選択できる。
【００１９】
また、前記測定部は、少なくとも体重計を有し、前記複数の施療コースには、少なくとも体重を管理する体重管理施療コースが含まれ、前記制御部は、前記適切な施療コースとして前記体重管理施療コースを選択するか否かを、前記体重計からの前記被施療者の前記身体情報に基づいて判断するように構成されていてもよい。「体重管理施療コース」は、体重を管理するために適した施療を含む施療コースであればよく、例えば、食欲増進の経穴、又は食欲抑制の経穴を刺激する施療などを含めることできる。
【００２０】
このように構成すれば、体重計で測定した被施療者の体重に基づいて、被施療者に適切な施療コースとして体重管理施療コースを推奨するようにできる。体重管理施療コースには、体重が増えた場合の施療コース、体重が減った場合の施療コース、を含めることができる。
【００２１】
また、体重情報報知部をさらに有し、前記制御部は、前記体重計からの前記被施療者の前記身体情報を経時的に前記記憶部に記録し、前記記憶部に記録された経時的な前記身体情報を前記体重情報報知部で報知するように構成されていてもよい。
【００２２】
このように構成すれば、被施療者が体重計で測定した身体情報の変化が体重情報報知部で報知されるので、被施療者は自身の身体情報変化を経時的に知ることができる。よって、被施療者は、自身の身体情報の変化を把握しながら施療コースを選択できる。
【００２３】
また、前記測定部と前記制御部との間に、前記被施療者の前記身体情報を記録する情報端末をさらに備え、前記情報端末は、前記制御部と有線又は無線で通信することが可能に構成されていてもよい。この明細書及び特許請求の範囲の書類中における「情報端末」は、タブレット端末、携帯電話、ウェアラブル端末などを含む。
【００２４】
このように構成すれば、被施療者はマッサージ機から離れた場所でも自身の身体情報を情報端末で確認することができる。制御部は、情報端末から被施療者の身体情報を受信することができる。
【００２５】
また、前記マッサージ機は、少なくとも前記被施療者が着座する座部と、該座部に着座した前記被施療者の上半身を後方から支持する背凭れ部と、を有し、前記制御部は、前記施療コースに応じて前記背凭れ部の起倒角度を設定するように構成されていてもよい。
【００２６】
このように構成すれば、被施療者の身体情報に応じて背もたれ部の起倒角度を調整できる。例えば、身体情報から被施療者の血圧値が高い場合は背凭れ部の角度を起こすことで施療を弱くすることができ、被施療者の血圧値が低い場合は背凭れ部の角度を倒すことで施療を強くすることができる。
【００２７】
また、前記マッサージ機は計時部を有し、前記制御部は、前記計時部からの時刻情報に基づいて、所定の時刻にアラーム報知部でアラームを報知するように構成されていてもよい。
【００２８】
このように構成すれば、アラーム報知部によって、例えば、血圧に関する施療コースを利用している場合は、１日に２回（朝、晩）、決まった時間にアラームを報知して使用時刻を知ることができる。また、例えば、体重に関する施療コースを利用している場合は、１日に１回、決まった時間にアラームを報知して使用時刻を知ることができる。
【００２９】
また、前記アラーム報知部は、光、音、振動、画面表示、のうちの少なくとも一つでアラームを報知するように構成されていてもよい。
【００３０】
このように構成すれば、被施療者は、マッサージ機の使用時刻を光、音、振動、画面表示のいずれかのアラームで容易に知ることができる。しかも、マッサージ機を複数の被施療者が利用する場合、被施療者に応じて光の色、音、画面表示を異ならせることで、複数の被施療者が自身のアラームを容易に知ることができる。
【００３１】
また、前記制御部は、前記被施療者の前記身体情報が使用推奨範囲を越えている場合にはマッサージ機の不使用を推奨するように構成されていてもよい。
【００３２】
このように構成すれば、被施療者は、自身の身体情報がマッサージ機の使用に適さない範囲に入っていることを知ることができる。例えば、血圧値が使用推奨範囲を越えている場合には、マッサージ機の不使用が推奨される。使用推奨範囲としては、例えば、血圧値の他、脈拍値などとすることができる。
【００３３】
また、前記制御部は、前記被施療者の前記身体情報に基づいて作成された健康情報に関するアドバイスを健康情報報知部で報知するように構成されていてもよい。
【００３４】
このように構成すれば、被施療者は、自身の身体情報に基づく健康情報に関して、健康情報報知部でのアドバイスによって確認できる。例えば、血圧値の変化や体重値の変化から被施療者に適した健康管理のアドバイスを確認できる。このアドバイスには、例えば、医師による診断結果を含めることができる。被施療者は、マッサージ機の利用時に自身の健康管理について情報を知ることができる。
【００３５】
また、前記マッサージ機は、通信ネットワークを介して病院と接続されており、前記制御部は、前記被施療者に対して健康情報に関する質問を行い、該質問結果を前記通信ネットワークに送信し、前記病院は、前記質問結果を前記通信ネットワークから受信し、該質問結果に対する評価・アドバイスを前記通信ネットワークに送信し、前記制御部は、前記通信ネットワークから前記評価・アドバイスを受信し、前記健康情報報知部で報知するように構成されていてもよい。
【００３６】
このように構成すれば、マッサージ機において行った健康情報に関する質問の結果に対して、病院から評価・アドバイスを受けることができる。この評価・アドバイスは、健康情報報知部において被施療者に報知され、被施療者が確認することができる。
【００３７】
また、前記マッサージ機は、前記被施療者を写すカメラと、前記被施療者の音声を電気信号に変換するマイクロフォンと、を有し、前記健康情報報知部は、前記通信ネットワークを介して前記病院の医師を写す表示部を兼ねており、前記健康情報報知部を介して前記被施療者と前記医師とが面談できるように構成されていてもよい。
【００３８】
このように構成すれば、被施療者はマッサージ機の健康情報報知部を介して離れた場所の医師と面談することができる。
【００３９】
また、前記マッサージ機は、通信ネットワークを介して登録送信先と接続されており、前記制御部は、前記被施療者の前記身体情報を前記通信ネットワークを介して前記登録送信先に送信するように構成されていてもよい。「登録送信先」は、マッサージ機を管理する事業者、通信サーバ、登録者端末などを含む。
【００４０】
このように構成すれば、被施療者が測定部で身体情報を測定し、制御部がその身体情報を受信することで、通信ネットワークを介して被施療者の身体情報を登録送信先に送信するようにできる。
【発明の効果】
【００４１】
本発明によれば、施療前に測定部で測定された被施療者の身体情報に基づいて、マッサージ機が被施療者の身体情報に適切な施療コースを推奨する。被施療者は、その推奨に基づいて自身に適切な施療コースを選択することが可能となる。
【図面の簡単な説明】
【００４２】
【図１】図１は、本発明の一実施形態に係る施療システムを示す全体構成図である。
【図２】図２は、図１に示すマッサージ機の斜視図である。
【図３】図３は、図２に示すマッサージ機の機能ブロック図である。
【図４】図４は、図２に示す操作器の画面の例を示す正面図である。
【図５】図５は、図２に示す操作器の画面の血圧情報報知部に表示される身体情報の一例を示す正面図である。
【図６】図６は、図２に示す操作器の画面の体重情報報知部に表示される身体情報の一例を示す正面図である。
【図７】図７は、図２に示す操作器でアラームを設定する画面の一例を示す正面図である。
【図８】図８は、図２に示す操作器で行われる質問の一例を示す正面図である。
【発明を実施するための形態】
【００４３】
以下、本発明の実施形態を図面に基づいて説明する。以下の実施形態では、マッサージ機１０と測定部３０である血圧計３１及び体重計３２が無線通信２（ブルートゥース（登録商標）など）によって通信可能となった例を説明する。また、この実施形態では、事業者４０がクラウド型の通信サーバ４１を有する例を説明する。通信サーバ４１は、事業者４０が備えていてもよい。この明細書及び特許請求の範囲の書類中における前後左右方向の概念は、図２に示すマッサージ機１０の座部１１に被施療者が着座したときに被施療者から見た方向の概念と一致するものとする。
【００４４】
（施療システムの構成）
図１に示すように、この実施形態のマッサージ機１０を備えた施療システム１は、被施療者を施療するマッサージ機１０と、被施療者の身体情報を測定する測定部３０とを備えている。この実施形態の測定部３０は、マッサージ機１０とは別に構成される血圧計３１と体重計３２とを備えている。血圧計３１と体重計３２は、マッサージ機１０と無線通信２によって通信可能となっている。なお、測定部３０は、マッサージ機１０と他の形式の無線又は有線で接続されていてもよい。また、マッサージ機１０に内蔵された測定部３０であってもよい。
【００４５】
この実施形態の施療システム１は、通信ネットワーク３に接続されている。通信ネットワーク３を介して、通信サーバ４１がマッサージ機１０と通信できるようになっている。通信ネットワーク３としては、例えば、インターネット網、ビル内の通信ネットワーク網、地域内のネットワーク網など、を含む。
【００４６】
また、通信ネットワーク３には、通信サーバ４１と事業者４０と、病院（医療機関）５０とが接続されている。この例では、クラウド型の通信サーバ４１の例を示している。通信サーバ４１は、事業者４０が管理する通信サーバ４１であっても、他の事業者４０が管理する通信サーバ４１であってもよい。事業者４０は、例えば、マッサージ機１０を貸し出しする事業者４０、販売したマッサージ機１０を管理する事業者４０、などを含む。
【００４７】
病院５０は、例えば、事業者４０と提携し、被施療者の身体情報に基づいて健康に関するアドバイスを提供する病院５０を含む。病院５０は、事業者４０と一体でもよい。事業者４０と病院５０とは、通信ネットワーク３を介して接続されている必要はない。病院５０を含む構成とすることで、後述するように、事業者４０から病院５０に対して、被施療者の身体情報を提供することができる。病院５０は、被施療者の身体情報から、被施療者に対するアドバイスを提供することができる。このアドバイスは、事業者４０から通信ネットワーク３を介してマッサージ機１０に送信され、被施療者に提供することができる。
【００４８】
なお、この実施形態では、測定部３０（血圧計３１，体重計３２）とマッサージ機１０（後述する、制御部１７）とが通信可能なっているが、これらの間に、被施療者の身体情報を記録する情報端末をさらに備えるようにしてもよい。情報端末としては、タブレット端末、携帯電話、ウェアラブル端末などを用いることができる。この情報端末は、制御部１７と有線又は無線で通信することが可能に構成される。
【００４９】
このように構成すれば、被施療者はマッサージ機１０から離れた場所でも自身の身体情報を情報端末で確認することができる。制御部１７は、情報端末から被施療者の身体情報を受信して、後述するように、被施療者に対して身体情報に基づいた施療コースを推奨することができる。
【００５０】
（マッサージ機の構成）
図２は、上記マッサージ機１０の斜視図であり、図３は、上記マッサージ機１０の機能ブロック図である。図示するように、マッサージ機１０としては、被施療者が着座する座部１１と、この座部１１に着座した被施療者の上半身を後方から支持する背凭れ部１２とを有している。座部１１の左右位置にはアームレスト１３を有し、座部１１の前部にはフットレスト１４を有している。この例では、背凭れ部１２の施療部（ローラユニット）１５を示している。他の部分にも、空気袋などの施療部が備えられている。施療部１５は、制御部１７によって制御されている。施療部１５の組み合わせにより、後述するような複数の施療コースが設定され、記憶部１６に記憶されている。また、記憶部１６には、後述する血圧計３１からの被施療者の身体情報や、体重計３２からの被施療者の身体情報が、制御部１７によって経時的に記録される。
【００５１】
上記マッサージ機１０は、上記施療部１５の動作、後述する施療コースに応じた背凭れ部１２の起倒角度などを制御する制御部１７と、上記施療部１５による施療内容が異なる複数の施療コースを記憶する記憶部１６とが備えられている。制御部１７は、例えば、ＣＰＵ、ＲＯＭ、ＲＡＭなどを有している。記憶部１６は、例えば、フラッシュメモリ、ハードディスクドライブなどを用いることができる。
【００５２】
また、この実施形態のマッサージ機１０は、アラーム設定部１８を備えている。マッサージ機１０は、計時部１９を有しており、アラーム設定部１８によって、後述するように、例えば、アラームの時間設定や、設定された時間にアラームを発するように設定できる。アラーム設定部１８は、上記制御部１７に含ませることができる。制御部１７は、計時部１９の時刻情報に基づいて、アラーム設定部１８で設定した所定の時刻にアラームを発する。
【００５３】
そして、上記アームレスト１３の部分に、このマッサージ機１０を操作する操作器２０が備えられている。この操作器２０は、被施療者が目視で確認できる画面２１を有している。操作器２０で、上記施療部１５などによる施療動作を操作する。操作器２０は、被施療者が着座した状態で操作できるように備えられている。操作器２０としては、タブレット端末のような操作器２０とすることができる。制御部１７は、上記操作器２０に接続されている。この実施形態では、操作器２０の画面２１が、後述するように、マッサージ機１０の制御部１７が選択した施療コースを被施療者に推奨する施療コース報知部２２の機能を有している。
【００５４】
また、操作器２０の画面２１は、後述する血圧情報報知部２３としての機能、体重情報報知部２４としての機能を有している。さらに、操作器２０の画面２１は、後述するアラーム報知部２５としての機能、健康情報報知部２６としての機能も有している。
【００５５】
なお、施療コース報知部２２、血圧情報報知部２３、体重情報報知部２４、アラーム報知部２５及び健康情報報知部２６は、操作器２０の画面２１以外であってもよい。例えば、マッサージ機１０とは別に独立して無線通信２が可能な端末器６０や、携帯電話などでもよい。端末器６０がアラーム報知部２５を有するようにすれば、被施療者がマッサージ機１０から離れていてもアラームを知ることができる。
【００５６】
また、施療コース報知部２２、血圧情報報知部２３、体重情報報知部２４及び健康情報報知部２６は、画面表示の他、音声による報知とすることができる。
【００５７】
さらに、アラーム報知部２５からの報知は、光、音、振動、画面表示、のうちの少なくとも一つで報知するようにすればよい。２つ以上の報知方法を組み合わせることで、被施療者に対してより明確にアラームを報知することができる。
【００５８】
（施療システムの作用）
上記マッサージ機１０によれば、測定部３０である血圧計３１と体重計３２の少なくともいずれか一方から被施療者の身体情報を無線（有線）で受信することができる。そして、マッサージ機１０の制御部１７は、受信した身体情報に基づいて、上記記憶部１６に記憶された複数の施療コースから適切な施療コースを施療コース報知部２２で被施療者に推奨する。この実施形態では、上記操作器２０の画面２１に設定された施療コース報知部２２において推奨される。
【００５９】
推奨する施療コースとしては、例えば、血圧計３１で身体情報を測定した被施療者に対しては、測定した身体情報に基づいて血行改善施療コースを推奨することができる。体重計３２で身体情報を測定した被施療者に対しては、測定した身体情報に基づいて体重管理施療コースを推奨することができる。その他、例えば、心拍数等の身体情報に応じて、適切な施療コースを推奨することができる。
【００６０】
（施療コースのアレンジ）
また、各施療コースにおいて、施療内容をアレンジすることができる。施療コースのアレンジとしては、各施療コースにおけるマッサージ力、および一部の施療動作、の少なくともいずれか一方を変更可能にすることによりできる。このアレンジは、マッサージ機１０の制御部１７によって、被施療者の身体情報に基づいて行われる。施療内容を身体情報の測定結果に基づいてアレンジしたことは、制御部１７によって操作器２０の画面２１で報知される。
【００６１】
これにより、被施療者の身体情報に基づいてマッサージ力、施療動作を変更できる。例えば、身体情報から被施療者の体調が悪い場合は、マッサージ力を弱くした状態からスタートさせることや、一部の施療動作を切った状態でスタートさせることができる。
【００６２】
また、上記制御部１７は、被施療者の身体情報に応じて背凭れ部１２の起倒角度を調整できる。例えば、上記身体情報から被施療者の血圧が高い場合は背凭れ部１２の角度を起して施療が弱めになるようにできる。また、被施療者の血圧が低い場合は背凭れ部１２の角度を倒して、施療が強めになるようにできる。
【００６３】
（施療コース）
図４は、上記操作器２０の画面２１の例を示す正面図である。操作器２０の画面２１には、図示するように、上記記憶部１６に記憶されている施療コースが表示される。この例では、以下のような複数の施療コースが含まれている。
ストレス解消：例えば、脈拍数を下げる施療を含めることができる。
肩こり緩和：肩の施療が中心としたコースであり、肩のもみ、たたきの施療を中心とすることができる。
活力集中：短時間で身体の疲労を回復するように、一斉に複数の施療部で身体の各部を刺激する施療を含めることができる。
集中力アップ：施療後の集中力を高めるように、刺激の弱い施療を含めることができる。
ストレッチ姿勢調節：例えば、身体の筋肉を伸ばす施療を含めることができる。
シンクロ：音楽の持つストレス解消効果と共に血行促進などの効果をもたせるように、音楽に連動した施療を含めることができる。
体重管理：体重を管理するために適した施療を含むコースであり、例えば、食欲増進の経穴、又は食欲抑制の経穴を刺激する施療を含めることできる。各部のストレッチを行う施療を含めることができる。
血行改善：血行を安定させる経穴を中心とした施療を含めることができる。例えば、血管の弾力性を高める経穴を刺激する施療を含めることができる。
生活習慣：被施療者の行動時間帯に応じた施療を中心としたコースであり、例えば、朝に行動する被施療者の場合、朝の施療に適した経穴を刺激する施療を行うようにできる。昼に行動する被施療者はストレッチ中心、夜に行動する被施療者の場合は夜の施療に適した経穴を刺激する施療を行うようにできる。
【００６４】
これらの施療コース以外の施療コースを含めることもできる。複数の施療コースは、これらの施療コースに限定されない。複数の施療コースは、マッサージ機１０に備えられた記憶部１６に記憶されており、制御部１７によって各施療コースが実行される。以下、血行改善施療コースと体重管理施療コースについて詳しく説明する。
【００６５】
（血行改善施療コース）
図５は、上記操作器２０の画面２１に表示される測定結果画面の一例を示す正面図である。この例では、被施療者が施療前に血圧計３１で測定した結果がマッサージ機１０の制御部１７によって受信され、操作器２０の画面２１の上部に表示される。その下には、記憶部１６に記録されている被施療者の経時的な血圧値の情報（身体情報）が表示されている。この例では、１週間の変化をグラフ表示させている。
【００６６】
このように、被施療者が測定部３０として血圧計３１を利用し、被施療者の身体情報が血圧値の場合、最低血圧と最高血圧が示される。これにより、被施療者は、操作器２０で自身の身体情報の変化を把握することができる。これらの血圧に関する情報を表示する部分が、血圧情報報知部２３である。この例では、画面２１の一部が血圧情報報知部２３となっている。この例では、血圧計３１で測定した血圧値が高血圧値である場合を示している。
【００６７】
また、血圧情報報知部２３の下方には、血圧値の経時的な変化に基づくアドバイスが表示されている。このアドバイスには、例えば、後述する医師による診断結果を含めて報知することができる。このように、被施療者の身体情報に基づくアドバイスなどを報知する部分が、健康情報報知部２６である。この例では、画面２１の一部が健康情報報知部２６となっている。これにより、被施療者は、血圧値の変化から適した健康管理のアドバイスを確認できる。被施療者は、マッサージ機１０の利用時に、健康情報報知部２６の情報から自身の健康管理について行うべきことなどを把握できる。
【００６８】
さらに、この例のように高血圧の場合、マッサージ機１０を使用しないように不使用を推奨することができる。高血圧の基準値としては、例えば、ＷＨＯの基準値（１４０ｍｍＨｇ以上）までを使用推奨範囲とすることができる。この例の場合、最高血圧が使用推奨範囲を越えているため、画面２１の［終了］ボタン２７を、点滅などをさせてマッサージ機１０の使用を終了させるようにできる。
【００６９】
血圧計３１からの血圧値が所定値を越えていない場合は、［終了］ボタン２７は［次へ］と表示され、このボタン２７を押すことで、適切な施療コースとして血行改善施療コースが推奨される。血行改善施療コースとしては、血管の弾力性を高める経穴を中心とした施療、その他、全身をリラックスさせる施療を含めることができる。なお、被施療者は、血行改善施療コース以外の施療コースを選択することもできる。また、この例では、血圧計３１からの身体情報のみでの判断であるが、血圧値に加えて脈拍値の身体情報に基づいて、施療コースを選択するようにしてもよい。なお、この状態の画面２１は、後述する健康情報報知部２６を表示する［健康サポート］ボタン２８を有する。［健康サポート］ボタン２８を押すと、後述する医師による詳しい診断結果が表示されるようにできる。
【００７０】
このように、マッサージ機１０は、血圧計３１で測定した被施療者の血圧値に応じて、被施療者に適切な血行改善施療コースを推奨するようにできる。また、マッサージ機１０は、血圧値が使用推奨範囲を越えていることで、マッサージ機１０の不使用を推奨することもできる。
【００７１】
（体重管理施療コース）
図６は、上記操作器２０の画面２１に表示される測定結果画面の一例を示す正面図である。この例では、予め、被施療者が目標体重２９を設定し、その目標体重２９を基準とした例を説明する。この例では、被施療者が施療前に体重計３２で測定した結果がマッサージ機１０の制御部１７によって受信され、記憶部１６に記録されている被施療者の経時的な体重の情報（身体情報）を含めて、操作器２０の画面２１の上部にグラフ表示されている。この例では、目標体重２９に対して上昇又は下降したことがわかるように表示されている。
【００７２】
このように、被施療者が測定部３０として体重計３２を利用し、被施療者の身体情報が体重の場合、体重の変化が示される。これにより、被施療者は、操作器２０で自身の身体情報の変化を把握することができる。これらの体重に関する情報を表示する部分が、体重情報報知部２４である。この例では、画面２１の一部が体重情報報知部２４となっている。この例では、体重計３２で測定した体重が大きく増えた場合を示している。
【００７３】
また、体重情報報知部２４の下方には、体重の変化に基づくアドバイスが表示されている。このアドバイスには、例えば、後述する医師による診断結果を含めて報知することができる。このように、被施療者の身体情報に基づくアドバイスなどを報知する部分が、健康情報報知部２６である。この例では、画面２１の一部が健康情報報知部２６となっている。これにより、被施療者は、体重の変化から適した健康管理のアドバイスを確認できる。被施療者は、マッサージ機１０の利用時に、健康情報報知部２６の情報から自身の健康管理について行うべきことなどを把握できる。
【００７４】
そして、［次へ］ボタン２７を押すことで、適切な施療コースとして体重管理施療コースが推奨される。体重管理施療コースには、体重計３２で測定した被施療者の体重に応じて、体重が増えた場合のスリムコース、体重が減った場合の健康体重管理コース、を含めることができる。なお、被施療者は、体重管理施療コース以外の施療コースを選択することもできる。なお、この状態の画面２１は、後述する健康情報報知部２６を表示する［健康サポート］ボタン２８を有する。［健康サポート］ボタン２８を押すと、後述する医師による詳しい診断結果が表示されるようにできる。
【００７５】
スリムコースは、食欲抑制の経穴を刺激する施療を含めることができる。スリムコースでは、痩せたい人に対して適正な減量カーブを示すことができる。例えば、被施療者が目標体重と目標期限を設定する。それに対して、マッサージ機１０は、目標体重に対して適切な減量が行えるアドバイスを表示する。アドバイスとしては、目標期限までの減量カーブをグラフ表示などで示すことができる。
【００７６】
健康体重管理コースは、食欲増進の経穴を刺激する施療を含めることができる。健康体重管理コースでは、被施療者の身長、体重を測定部３０で測定することで、標準のＢＭＩ値（体格指数）に対する被施療者のＢＭＩ値を表示し、それに対してアドバイスを表示する。ＢＭＩ値が標準よりも高い場合は、痩せる経穴を刺激する施療を含ませることができる。ＢＭＩの変化を記録し、グラフ表示することもできる。ＢＭＩ値を管理し、適正範囲を外れると、操作器２０にアドバイスを表示することができる。また、体重計３２の測定結果に加え、体組成計で体脂肪率、水分量、筋肉量を管理するようにしてもよい。
【００７７】
このように、上記施療システム１によれば、被施療者が測定部３０で身体情報を測定すると、その身体情報をマッサージ機１０が受信して、被施療者の身体情報に適切な施療コースを被施療者に推奨する。よって、被施療者は、自身の身体情報に適切な施療コースを容易に認識でき、その施療コースを決定することが可能となる。
【００７８】
（アラームに関する構成）
図７は、上記操作器２０のアラーム設定画面の例を示す正面図である。図３に示すように、上記マッサージ機１０はアラーム設定部１８と計時部１９とを備えている。図７に示すように、操作器２０の画面２１において、アラームの時刻を設定することができる。図示するアラーム設定画面は、画面２１の［設定］ボタンで表示するようにできる。この例は、朝と晩に２回のアラームを設定する画面である。マッサージ機１０でアラームを設定することで、決まった時刻に測定部３０による身体情報の測定を行うように知らせることができる。
【００７９】
上記アラームとしては、例えば、血圧計３１によって身体情報を測定することが多い被施療者の場合、アラーム報知部２５によって、１日に２回（朝、晩）にアラームを発して使用時刻を知らせるようにできる。また、例えば、体重計３２によって身体情報を測定することが多い被施療者の場合、アラーム報知部２５によって、１日に１回、決まった時刻にアラームを発して使用時刻を知らせるようにできる。被施療者は、アラーム報知部２５からのアラームによって、決まった時間に測定部３０によって身体情報を測定することで、健康維持に勤めることができる。
【００８０】
上記アラーム報知部２５によるアラームとしては、少なくとも光、音、振動、画面表示、のいずれかでアラームを知らせるようになっている。アラーム報知部２５としては、上記操作器２０の画面２１がその機能を有していてもよい。操作器２０の画面２１がアラーム報知部２５の機能を有している場合、アラームを設定した時間になると、画面２１に時刻が表示され、音で知らせることなどができる。また、操作器２０からアラーム時刻であることを音声アナウンスで知らせることもできる。アラーム報知部２５としては、操作器２０、又はマッサージ機１０にＬＥＤ灯を設け、アラームの設定時刻に点灯させてもよい。これらは、単独でも複数を組み合わせてもよい。
【００８１】
アラーム報知部２５をＬＥＤ灯とした場合、ＬＥＤ灯の色を複数の使用者によって異ならせることができる。例えば、家族で使用するマッサージ機１０の場合、色によって誰のアラームかを知ることができる。また、アラーム報知部２５を音声スピーカとした場合、予め報知する音、音声アナウンスなどを登録するようにできる。また、アラーム報知部２５を操作器２０の画面２１の表示とした場合、画面２１に誰のアラームかを表示し、被施療者にアラーム時刻を告げるようにできる。
【００８２】
このようなアラーム設定部１８を備えさせることで、被施療者は、マッサージ機１０のアラーム時刻を光、音、振動、画面表示のいずれかで容易に知ることができる。しかも、マッサージ機１０を複数の被施療者が利用する場合、被施療者に応じて光の色、音、振動、画面表示を異ならせることで、複数の被施療者が自身のアラーム時刻を容易に知ることができる。
【００８３】
（その他の実施形態（健康情報のアドバイス））
図１に示すように、マッサージ機１０と事業者４０は通信ネットワーク３を介して接続されている。このため、事業者４０は、マッサージ機１０が周辺の測定部３０（血圧計３１、脈波計、体重計３２、体脂肪計など）から得た被施療者の身体情報を通信ネットワーク３を介して入手することができる。
【００８４】
一方、この実施形態の施療システム１は、通信ネットワーク３を介して事業者４０と病院５０とが接続されている。このため、事業者４０は、マッサージ機１０から入手した被施療者の身体情報を病院５０に提供し、病院５０において被施療者の身体情報に対する評価・アドバイスなどの診断を受けることができる。
【００８５】
また、図８に示すように、マッサージ機１０の制御部１７が、操作器２０の画面２１に被施療者に対して健康情報に関する質問を行い、被施療者が回答するようにできる。図示する例は、「肩こり」に関する質問１の例である。「はい」又は「いいえ」を押すことで次の質問２以降へ進むことができる。質問としては、「腰痛」、「ストレス」等の質問を含めることができる。「終了」ボタン２７を押せば、症状一覧が表示されるようにできる。この質問結果は、制御部１７によって通信ネットワーク３に送信され、病院５０が質問結果を通信ネットワーク３から受信するようにできる。病院５０は、質問結果に対する評価・アドバイスを行うことができる。
【００８６】
病院５０で作成された診断結果（評価・アドバイス）は、通信ネットワーク３を介して事業者４０に送られる。そして、事業者４０は、診断結果を被施療者のマッサージ機１０に送信する。この診断結果には、事業者４０から被施療者の健康情報に関するアドバイスを含めることができる。この例ではマッサージ機１０と病院５０との間を事業者４０が中継して身体情報及び診断結果（評価・アドバイス）を送受信しているが、マッサージ機１０と病院５０との間で直接送受信するようにしてもよい。この場合、診断結果（評価・アドバイス）は病院５０から通信ネットワーク３に送信され、マッサージ機１０の制御部１７が、通信ネットワーク３から評価・アドバイスを受信するようにできる。なお、通信サーバ４１に、これらの情報を一時的に記憶するようにしてもよい。
【００８７】
マッサージ機１０は、受信した診断結果（評価・アドバイス）などを健康情報報知部２６において報知する。被施療者が、上記図５，６の［健康サポート］ボタン２８を押すことで、詳しい診断結果を画面２１に表示することができる。これにより、被施療者は、マッサージ機１０において自身の身体情報に対する医師の診断結果やアドバイスを確認することができる。例えば、病院５０が遠隔地にある場合、自宅において医師の診断結果やアドバイスを確認することができる。また、被施療者は、マッサージ機１０において行った健康情報に関する質問の結果に対して病院５０から評価・アドバイスを受けることができ、この評価・アドバイスをマッサージ機１０において確認することができる。
【００８８】
さらに、マッサージ機１０に、被施療者を写すカメラ（図示略）と、被施療者の音声を電気信号に変換するマイクロフォン（図示略）とを備えさせてもよい。カメラとマイクロフォンは、例えば、操作器２０に備えさせることができる。そして、健康情報報知部２６でもある上記操作器２０の画面２１に、上記通信ネットワーク３を介して上記病院５０の医師を写す表示部を兼ねさせてもよい。このようにすれば、健康情報報知部２６の画面２１を介して被施療者と医師とが面談できる。これにより、被施療者は、マッサージ機１０の健康情報報知部２６を介して離れた場所の医師と面談することができる。
そして、被施療者は、診断結果やアドバイスに基づいて、施療コースの選択や、マッサージ力の強弱などを自身で決定することができる。
【００８９】
なお、事業者４０と病院５０との間でのデータの受け渡しは、通信ネットワーク３を介して行う必要はない。例えば、記憶媒体（例えば、ＵＳＢメモリなど）に被施療者の身体情報を記憶し、事業者４０から病院５０に送る。病院５０では、被施療者の身体情報に基づいて診断し、その診断結果を記憶媒体に記憶する。そして、その記憶媒体を事業者４０に送り返す。事業者４０は、記憶媒体に記憶された診断結果を、被施療者のマッサージ機１０に送信するようにしてもよい。事業者４０と病院５０は、一体となっていてもよい。
【００９０】
（その他の実施形態（マッサージ機の使用確認））
図１に示すように、マッサージ機１０は、通信ネットワーク３と接続されている。このため、マッサージ機１０の制御部１７は、通信ネットワークを介してと事業者４０、通信サーバ４１の他、予め登録された登録送信先へ、被施療者の身体情報を送信するようにできる。登録送信先としては、マッサージ機１０を管理する事業者４０、通信サーバ４１の他、被施療者の身体情報を送信したい登録者端末などにできる。
【００９１】
このようにすれば、被施療者が測定部３０で身体情報を測定し、マッサージ機１０の制御部１７がその身体情報を受信することで、通信ネットワーク３を介して被施療者の身体情報を登録送信先に送信するようにできる。被施療者の身体情報を送信するタイミングとしては、被施療者の身体情報を制御部１７が受信した時や、予め設定された時刻などにできる。例えば、予め設定された時刻にすることで、被施療者が身体情報を測定した結果を、設定時刻に登録者端末へ送信されるようにできる。
【００９２】
これにより、親が使用するマッサージ機１０の登録送信先を子供の携帯端末（携帯電話など）などに設定することで、被施療者である親の身体情報を離れた場所に住む子供が受信して確認することができる。しかも、このようにすれば、親がマッサージ機１０を使用していることを、遠方の子供が確認する「見守り」ができる。登録送信先を通信サーバ４１とすれば、被施療者の身体情報を通信サーバ４１に記憶することで、例えば、子供が親の身体情報の変化等を遠方から確認できる。登録送信先を事業者４０とすれば、被施療者がマッサージ機１０を使用していることを事業者４０の方で確認できる。このようにすれば、事業者において被施療者がマッサージ機を使用していることを確認する「見守り」ができる。
【００９３】
（総括）
以上のように、上記マッサージ機１０を備えた施療システム１によれば、施療前に血圧計３１、体重計３２などの測定部３０において身体情報を測定すると、マッサージ機１０は、その身体情報を受信して、被施療者の身体情報に適切な施療コースを推奨することができる。これにより、被施療者は自己の身体情報に適した施療コースを容易に認識でき、その施療コースを決定することが可能となる。
【００９４】
また、被施療者の身体情報に基づいて、制御部１７がマッサージ力を弱くしたり、一部の施療動作を切った状態でスタートさせることで、被施療者の身体情報に適した施療動作を行うように制御することも可能となる。
【００９５】
さらに、マッサージ機１０のアラーム設定部１８で設定した時刻にアラームを発することで、被施療者は周辺機器による測定時刻を一定にして健康管理を継続することも可能となる。
【００９６】
なお、上記した実施形態では、座部１１と背凭れ部１２とを有し、背凭れ部１２が起倒可能なマッサージ機１０を例に説明したが、背凭れ部１２の角度が固定されたマッサージ機や、椅子型マッサージ機以外のマッサージ機であっても適用でき、マッサージ機１０の形式は上記実施形態に限定されるものではない。
【００９７】
また、上記した実施形態では、マッサージ機１０が、通信ネットワーク３を介して通信サーバ４１、事業者４０、病院５０と接続された例を説明した。しかし、施療システム１は、周辺機器（血圧計３１、体重計３２など）の被施療者に関する身体情報をマッサージ機１０が受信できる構成であればよく、上記実施形態の構成を全て含む構成に限定されない。
【００９８】
さらに、上記した実施形態は一例を示しており、通信サーバ４１は事業者４０と一体であっても、他の事業者が管理するサーバであってもよく、本発明の要旨を損なわない範囲での種々の変更は可能であり、本発明は上記した実施形態に限定されるものではない。
【符号の説明】
【００９９】
１  施療システム
２  無線通信
３  通信ネットワーク
１０  マッサージ機
１１  座部
１２  背凭れ部
１５  施療部（ローラユニット）
１６  記憶部
１７  制御部
１８  アラーム設定部
１９  計時部
２０  操作器
２１  画面
２２  施療コース報知部
２３  血圧情報報知部
２４  体重情報表示部
２５  アラーム報知部
２６  健康情報報知部
２７  ［終了］ボタン
２８  ［健康サポート］ボタン
３０  測定部
３１  血圧計
３２  体重計
４０  事業者
４１  通信サーバ
５０  病院（医療機関）
６０  端末器
【図１】
2017217085.tif 000003
【図２】
2017217085.tif 000004
【図３】
2017217085.tif 000005
【図４】
2017217085.tif 000006
【図５】
2017217085.tif 000007
【図６】
2017217085.tif 000008
【図７】
2017217085.tif 000009
【図８】
2017217085.tif 000010